(57)【要約】 【課題】  シール性能及び風流れ性能に優れた住宅用空調ダクトの接続構造を提供する。【解決手段】  ダクト１の軸方向端部に設けられたダクト側コネクタ３は、軸方向先端に向かって径方向に広がり且つ軸方向に対する傾斜角度αが１０〜５０°であるダクト側テーパ部３２を有する。チャンバー２は、中空の本体部２１と、本体部２１から外側に向けて突出しており且つダクト側テーパ部３２に沿って傾斜するチャンバー側テーパ部５２を有するチャンバー側コネクタ５とをもつ。ダクト側コネクタ３は、チャンバー側コネクタ５に形成された爪部５５に係合する係合部３５をもつ。ダクト側テーパ部３２は、チャンバー側テーパ部５２に弾性をもつシール部材６を介して外嵌している。【選択図】  図３
2011075135.tif 000002
【特許請求の範囲】
【請求項１】
ダクトの軸方向の端部がチャンバーに接続されて空調空気が該ダクトから該チャンバーに流通する住宅用空調ダクトの接続構造において、
前記ダクトの軸方向の端部は、軸方向先端に向かって径方向に広がり且つ軸方向に対する傾斜角度が１０〜５０°であるダクト側テーパ部を有するダクト側コネクタをもち、
前記チャンバーは、中空の本体部と、該本体部から外側に向けて突出しており且つ前記ダクト側テーパ部に沿って傾斜するチャンバー側テーパ部を有するチャンバー側コネクタとをもち、
前記ダクト側コネクタは、前記チャンバー側コネクタに形成された爪部に係合する係合部をもち、
前記ダクト側コネクタは、該ダクト側テーパ部の内周面と前記チャンバー側テーパ部の外周面との間に弾性をもつシール部材を介在させて、該チャンバー側コネクタに外嵌していることを特徴とする住宅用空調ダクトの接続構造。
【発明の詳細な説明】
【技術分野】
【０００１】
本発明は、ダクトをチャンバーに接続する住宅用空調ダクトの接続構造に関する。
【背景技術】
【０００２】
住宅用集中空調装置は、ダクトを通じて、各部屋の天井に設けた吹出し部から空調空気を吹き出している。吹出し部は、箱形状のチャンバーの下面に開口している。チャンバーの側壁に開口する接続穴には、ダクトが連結されている。
【０００３】
このような空調空気流通用のダクトをチャンバーに接続する構造としては、従来、例えば、特許文献１に開示されたものがある。特許文献１の図２に示すように、空気調和機の本体（１）からダクト接続筒（４）を突出させて、ダクト接続筒（４）に、通気ダクト（２１）を接続している。ダクト接続筒（４）の先端と通気ダクト（２１）との間には、中継筒（５）が配置されている。中継筒（５）とダクト接続筒（４）にはフランジ（５２）、（４５）が軸方向に重なり合う位置で突設されており、フランジ（５２）、（４５）は一体に挟むように弾性バンド（８）により外嵌されている。
【先行技術文献】
【特許文献】
【０００４】
【特許文献１】特開２００５−８３６２０号公報
【発明の概要】
【発明が解決しようとする課題】
【０００５】
しかしながら、特許文献１では、中継筒（５）のフランジ（５２）とダクト接続筒（４）のフランジ（４５）とに寸法誤差が生じると、フランジ（５２）とフランジ（４５）との間から通気ダクト内を流通する空気が外部に漏れ出るおそれがあり、通気ダクト（２１）と本体（１）との間のシール性が低い。
【０００６】
また、ダクトを通じて流通してきた空気が、本体（１）に流入するときに、本体（１）の側壁によって急激に空気の流路が拡大される。このため、本体（１）内で乱流が生じて、圧力損失が高くなってしまう。それゆえ。通気ダクト（２１）から本体（１）への空気の風流れ性能が悪い。
【０００７】
本発明はかかる事情に鑑みてなされたものであり、シール性能及び風流れ性能に優れた住宅用空調ダクトの接続構造を提供することを課題とする。
【課題を解決するための手段】
【０００８】
本発明の住宅用空調ダクトの接続構造は、ダクトの軸方向の端部がチャンバーに接続されて空調空気が該ダクトから該チャンバーに流通する住宅用空調ダクトの接続構造において、
前記ダクトの軸方向の端部は、軸方向先端に向かって径方向に広がり且つ軸方向に対する傾斜角度が１０〜５０°であるダクト側テーパ部を有するダクト側コネクタをもち、
前記チャンバーは、中空の本体部と、該本体部から外側に向けて突出しており且つ前記ダクト側テーパ部に沿って傾斜するチャンバー側テーパ部を有するチャンバー側コネクタとをもち、
前記ダクト側コネクタは、前記チャンバー側コネクタに形成された爪部に係合する係合部をもち、
前記ダクト側コネクタは、該ダクト側テーパ部の内周面と前記チャンバー側テーパ部の外周面との間に弾性をもつシール部材を介在させて、該チャンバー側コネクタに外嵌していることを特徴とする。
【０００９】
上記構成によれば、ダクトの軸方向の端部に設けられたダクト側コネクタは、軸方向先端に向かって１０〜５０°の傾斜角度で径方向に広がるダクト側テーパ部をもつ。チャンバー側コネクタは、軸方向に対してダクト側テーパ部に沿って傾斜するチャンバー側テーパ部をもつ。このため、ダクトからチャンバーに流通する空気の流れが、ダクト側テーパ部のチャンバー側テーパ部に外嵌される部分で、徐々に径方向に大きくなり、乱流を抑えてスムーズにチャンバーに流入することができる。従って、ダクトからチャンバーへの空気の風流れ性能に優れている。
【００１０】
また、ダクト側テーパ部は、チャンバー側テーパ部にシール部材を介して外嵌している。シール部材は、ダクト側テーパ部の内周面とチャンバー側テーパ部の外周面とによって径方向内側と外側とから面圧を受けて弾性変形する。ゆえに、ダクト側テーパ部とチャンバー側テーパ部との間が、確実にシールされる。また、ダクト側テーパ部とチャンバー側テーパ部とで寸法誤差が生じても、シール部材が寸法誤差を吸収するため、両テーパ部間を確実にシールすることができる。
【００１１】
また、ダクト側コネクタは、チャンバー側コネクタに形成された爪部に係合する係合部をもつ。係合部が、爪部に係合することで、ダクト側コネクタとチャンバー側コネクタとが互いに回転して嵌め合いが緩むことを防止して、ダクト側コネクタをチャンバー側コネクタに容易に且つ確実に嵌め合うことができる。ゆえに、ダクトのチャンバーへの組み付け性が良い。また、部品点数が少なく、製造コストを抑えることができる。
【発明の効果】
【００１２】
本発明の住宅用空調ダクトの接続構造によれば、ダクトの軸方向の端部に設けられたダクト側コネクタが、軸方向先端に向かって径方向に広がるダクト側テーパ部をもち、ダクト側テーパ部に沿った形状をもつチャンバー側テーパ部との間にシール部材を介してチャンバー側テーパ部に嵌合している。このため、シール性能及び風流れ性能に優れている。
【図面の簡単な説明】
【００１３】
【図１】本発明の実施例１に係る住宅用空調ダクトの接続構造を配設した天井裏の断面図である。
【図２】実施例１に係る、ダクトの接続構造の軸方向断面図である。
【図３】図２の要部拡大断面図である。
【図４】実施例１に係る、ダクト側コネクタの斜視図である。
【図５】図４のＡ−Ａ矢視断面図である。
【図６】実施例１に係る、チャンバー側コネクタの斜視図である。
【図７】図６のＢ−Ｂ矢視断面図である。
【図８】実施例２に係るダクト接続構造の軸方向の要部拡大断面図である。
【発明を実施するための形態】
【００１４】
本発明の住宅用空調ダクトの接続構造は、住宅用空調ダクトを、各部屋に開口する吹出し部をもつチャンバーに接続する構造である。ダクトは、住宅の天井裏などの隙間に配置されて、天井などに設けられた穴部から、空調装置により温度調整された空調空気を吹き出す。
【００１５】
室内をすばやく温度調整するために、空調空気は、流速をチャンバー内で落とすことなく吹出し部から吹き出されることがよい。ダクトをチャンバーの側壁に接続した場合には、チャンバーには、側壁に設けられたチャンバー側コネクタから空調空気が流入する。空調空気は、チャンバー内で進路を９０°変更して、底部に形成された吹出し部から流出する。このため、吹出し部から勢い良く空調空気を吹出させるには、チャンバー内でスムーズな空気の流れを形成して圧力損失を抑える必要がある。
【００１６】
本発明では、チャンバーへの流入口であるチャンバー側テーパ部及びダクト側テーパ部を、チャンバーに向けて１０〜５０°の角度で拡径させている。このため、チャンバー側コネクタ付近での乱流を抑えて、チャンバー全体に空調空気をスムーズに流入させることができる。ゆえに、吹出し部から空調空気を勢い良く吹き出すことができ、室内の温度調整をすばやく行うことができ、圧力損失を抑えることができる。また、チャンバー内で乱流が生じにくいため、チャンバーの壁の振動音が抑えられる。
【００１７】
なお、ダクトをチャンバーの上壁に接続してもよい。この場合には、ダクトからチャンバーに流入した空調空気は、流れの向きを変更することなく、底部に形成した吹出し部から勢い良く吹出される。しかし、この場合には、狭い天井裏で、チャンバーの高さに加えて、少なくともダクトとチャンバーとの接続部分の長さ分の高さを確保する必要がある。
【００１８】
ダクトは、直線方向に延びたり、湾曲したりしてもよい。ダクトは、側壁が平滑表面をもつ平滑管であっても、蛇腹状の蛇腹管であってもよい。ダクトは、複数の部材に分かれていて、それらの端部同士を接続することにより、空調装置とチャンバーとの間を連結してもよい。また、ダクトは、平滑管と蛇腹管との双方をもっていてもよい。
【００１９】
ダクトの内径（内部直径）は、例えば、５０〜２５０ｍｍであり、更には１００〜２００ｍｍであるとよい。
【００２０】
ダクトの軸方向端部には、ダクト側コネクタが設けられている。ダクト側コネクタは、チャンバーに設けられたチャンバー側コネクタを嵌合する部分である。ダクト側コネクタは、ダクトと一体に形成されていても、ダクトと別体でダクトに固定されていてもよい。
ダクト側コネクタには、軸方向先端に向けて、即ちチャンバーの配置されている方に向けて、拡径するダクト側テーパ部が形成されている。ダクト側テーパ部の軸方向に対する傾斜角度は１０〜５０°である。この場合には、シール性能及び風流れ性能が向上する。一方、１０°未満の場合には、シール性能及び風流れ性能が低下する。５０°を超える場合には、風流れ性能が低下する。
【００２１】
ダクト側テーパ部の軸方向に対する傾斜角度は、２０〜４０°であることが好ましい。この場合には、シール性能及び風流れ性能が優れる。
【００２２】
チャンバーは、本体部と、本体部の側壁から外側に向けて突出するチャンバー側コネクタとを有する。本体部は、断熱材で被覆されているとよい。チャンバー側コネクタは、本体部の側壁から突出しているとよい。また、本体部の底部には、吹出し部が開口しているとよい。吹出し部は、天井に開口する開口部に連通して、ダクトを経て流通してきた空調空気を室内に吹き出す。
【００２３】
チャンバー側コネクタは、本体部と一体でもよく、また、本体部と別体で本体部に固定されていてもよい。チャンバー側コネクタには、軸方向先端に向けて、即ちダクトの配置されている方に向けて、縮径するチャンバー側テーパ部が形成されている。チャンバー側テーパ部は、ダクト側テーパ部に沿って傾斜している。チャンバー側テーパ部は、軸方向に対する傾斜角度が、ダクト側テーパ部の傾斜角度と同じであるとよく、１０〜５０°の範囲、さらに好ましくは２０〜４０°の範囲である。
【００２４】
ダクト側コネクタは、チャンバー側コネクタに外嵌している。チャンバーの外側からチャンバー側コネクタにダクト側コネクタを嵌合させることができるため、ダクト側コネクタを嵌めやすくなる。
【００２５】
ダクト側コネクタは、少なくともダクト側テーパ部とチャンバー側テーパ部との間でチャンバー側コネクタと軸方向の位置が重なり合った部分をもつ。ダクト側コネクタとチャンバー側コネクタにおいて重なり合っている部分と重なり合っていない部分との境界部分のダクトの内部空間に対面する面は、互いに同一面を構成していることが好ましい。この場合には、ダクト側コネクタとチャンバー側コネクタとの前記境界部分で、ダクト内を流通する空気の流れが乱されず、圧力損失を抑えることができる。
【００２６】
ダクト側テーパ部とチャンバー側テーパ部との重なり部分の幅は、１０ｍｍ以上であることが好ましい。この場合には、ダクト側コネクタとチャンバー側コネクタとの間のシール性及び風流れ性能が更に向上する。
【００２７】
ダクト側テーパ部とチャンバー側テーパ部との間には、シール部材が介在している。シール部材は、ダクト側テーパ部の内周面とチャンバー側テーパ部の外周面との間に挟持されている。シール部材は、シール性を高めるため、両テーパ部の周面の全周に連続して介在しているとよい。ダクト側テーパ部とチャンバー側テーパ部との重なり部分の幅に対するシール部材の幅の比率は、シール性向上のため、０．２〜１．０の範囲であるとよい。
【００２８】
シール部材は、弾性をもつ材質からなり、例えば、ウレタン樹脂などの樹脂材を用いるとよい。
【００２９】
シール部材は、ダクト側テーパ部とチャンバー側テーパ部との間に厚み方向に圧縮された状態で介在しているとよい。シール部材の圧縮前の厚みに対する圧縮後の厚みの比率は、０．１〜０．８であることが好ましく、更には０．１５〜０．５であることが望ましい。この場合には、ダクト側テーパ部とチャンバー側テーパ部との間を効果的にシールすることができる。
【００３０】
チャンバー側コネクタの外周面は、周方向の一部に１又は２以上の爪部をもち、ダクト側コネクタの内周面は、爪部に係合する係合部をもつ。係合部が爪部に係合することで、ダクト側コネクタとチャンバー側コネクタとが互いに回転して嵌め合いが緩むことを防止することができる。
【実施例】
【００３１】
（実施例１）
本例の住宅用空調ダクトの接続構造は、住宅用空調ダクトを、各部屋に開口する吹出し部をもつチャンバーに接続する構造である。このダクトの接続構造は、図１に示すように、各部屋の天井７の上に配設されており、ダクト１と、チャンバー２と、ダクト側コネクタ３と、チャンバー側コネクタ５と、シール部材６とを有する。
【００３２】
図２、図３に示すように、ダクト１の軸方向の一端部は、チャンバー２に接続されており、他端部は、住宅の全室に供給される空気を集中して温度調整する空調装置に接続されている。
【００３３】
ダクト１は、内部直径が１５０ｍｍの平滑管であり、径方向内側から外側に向かって順に、内層１１、形状保持材１２、断熱材１３、及び外層１４を積層して形成されている。内層１１は、ＣＰＥ（塩素化ポリエチレン）からなる樹脂製フィルムからなる。形状保持材１２は、コイルスプリングを用いる。形状保持材１２は、断熱材１３の内周面に配置されて、断熱材１３の形状をパイプ状に維持している。断熱材１３は、グラスファイバーからなる。外層１４は、ガラスファイバーを含むアルミニウム製のフィルムからなる。
【００３４】
ダクト１は、柔軟な材質からなる各層の変形によって湾曲させることができる。ダクト１の軸方向の一端部には、ダクト側コネクタ３が固定されている。ダクト１の軸方向の他端部は、空調装置に形成されたダクト接続筒部（図略）に接続されている。
【００３５】
図４、図５に示すように、ダクト側コネクタ３は、軸方向基端部から先端部に向かって順に、基端側円筒部３７と、収容溝３８と、円筒部３１と、拡径部３４と、ダクト側テーパ部３２とを有する。
【００３６】
図３に示すように、基端側円筒部３７は、ダクト１の内層１１の先端部の内周面に接している。収容溝３８は、基端側円筒部３７よりも径方向内側に窪み、ダクト側コネクタ３の中で最も直径が小さく、ダクト側コネクタ３の全周にわたってリング溝状に形成されている。円筒部３１は、基端側円筒部３７よりも若干直径が大きい。円筒部３１の外径は１５０ｍｍである。拡径部３４は、円筒部３１からダクト側テーパ部３２に向けて径方向外側に拡径している。
【００３７】
ダクト側テーパ部３２は、軸方向先端に向かって拡径している。ダクト側テーパ部３２は、円錐台形状をなし、軸方向に対する傾斜角度αは２５°である。
【００３８】
ダクト１の内層１１と断熱材１３との間には、環状の金属バンド１５が装着されている。金属バンド１５と内層１１の先端は、ダクト側コネクタ３の収容溝３８の中に収容されている。ダクト１の内周面には、ダクト側コネクタ３の基端側円筒部３７が接触している。金属バンド１５の弾性により、内層１１をダクト側コネクタ３に押し付けることにより、ダクト側コネクタ３がダクト１に気密に固定されている。気密性向上のため、ダクト１の軸方向端部の外周面とダクト側コネクタ３との外周面を、ポリプロピレン、ポリエチレンなどの樹脂材料からなるテープ１６により被覆されている。
【００３９】
図１に示すように、チャンバー２は、本体部２１と、吹出し部２２とを有する。本体部２１は、直方体形状をなし、ダクト１の径よりも大きい内部空間をもつ。本体部２１の下部は、天井７に形成した穴部７０から吹出し部２２が開口している。図３に示すように、本体部２１の側壁には、円形状の穴部２３が形成されている。本体部２１の外表面は、発泡スチロールからなる断熱材２４で被覆されている。
【００４０】
図３、図６、図７に示すように、チャンバー側コネクタ５は、本体部２１の側壁に形成された穴部２３から円筒状に突出する部分であり、ダクト側コネクタ３に内嵌されている。チャンバー側コネクタ５は、軸方向の基端から先端に向けて順に、フランジ部５３と、チャンバー側テーパ部５２と、縮径部５４と、円筒部５１とを有する。
【００４１】
フランジ部５３は、チャンバー２の本体部２１の内壁面に接して、複数箇所でネジ５８を締結することにより、チャンバー側コネクタ５をチャンバー２に気密に固定している。チャンバー側テーパ部５２は、軸方向先端に向けて２５°の傾斜角度で縮径しており、ダクト側テーパ部３２に沿った形状をもつ。
【００４２】
チャンバー側テーパ部５２の外周面は、ダクト側テーパ部３２の内周面と対面している。チャンバー側テーパ部５２の幅Ｌ１は２５ｍｍであり、ダクト側テーパ部３２の幅Ｌ２は２０ｍｍである。チャンバー側テーパ部５２とダクト側テーパ部３２とは、ダクト側テーパ部３２の幅Ｌ２（２０ｍｍ）だけ重なり合っている。
【００４３】
チャンバー側コネクタ５の縮径部５４、円筒部５１と、ダクト側コネクタ３の拡径部３４、円筒部３１とは互いに同軸上で重なっている。そして、ダクト側コネクタ３の収容溝３８の内周面は、チャンバー側コネクタ５の円筒部５１の内周面とともにダクト１の内部空間と対面しており、収容溝３８の内周面は、円筒部５１の内周面と同一面を構成している。このため、ダクト１内の空調空気は、ダクト側コネクタ３とチャンバー側コネクタ５との境界部分でスムーズに流通することができる。
【００４４】
円筒部５１の周方向の４箇所に、等間隔を隔てて爪部５５が突設している。爪部５５は、互いに、円筒部５１の軸方向の同一位置に配置されている。爪部５５は、軸方向先端に向かって拡径する斜面５５ａと、斜面５５ａの軸方向基端で径方向内側に垂下された端面５５ｂとをもつ。斜面５５ａの軸方向に対する傾斜角度βは３０°である。爪部５５は、ダクト側コネクタ３の円筒部３１に形成され且つ爪部５５の形状に相応する係合部３５に係合している。
【００４５】
図６に示すように、チャンバー側テーパ部５２の周方向の２箇所に、互いに１８０°の間隔を隔てて、凸部５６が突設されている。また、図４、図５に示すように、ダクト側コネクタ３のダクト側テーパ部３２には、凸部５６と対応する位置にガイド溝３６が形成されている。ガイド溝３６は、軸方向の基端から先端に向けて延びており、ダクト側テーパ部３２の周面から径方向外側に突出する溝であり、その突出量は５．５ｍｍである。また、凸部５６は、ガイド溝３６と相応する形状にチャンバー側テーパ部５２から突出しており、その突出量は５．５ｍｍである。
【００４６】
図３に示すように、シール部材６は、ダクト側テーパ部３２の内周面とチャンバー側テーパ部５２の外周面との間に全周に渡って設けられている。シール部材６は、ダクト側テーパ部３２及びチャンバー側テーパ部５２の径の小さい部分に配置されている。
【００４７】
シール部材６は、ウレタン樹脂からなり、幅が１０ｍｍである。チャンバー側テーパ部５２とダクト側テーパ部３２との重なり部分の幅に対するシール部材６の幅の比率は、０．５である。シール部材６は、開放時の厚みが８ｍｍであり、ダクト側テーパ部３２とチャンバー側テーパ部５２との間に配置されて２ｍｍの厚みまで弾性圧縮されている。
【００４８】
チャンバー側コネクタ５にダクト側コネクタ３を外嵌するにあたっては、まず、チャンバー側テーパ部５２の軸方向先端の外周面に、全周にわたってシール部材６を配置して接着剤にて固定する。チャンバー側テーパ部５２の軸方向先端をダクト側テーパ部３２の軸方向先端と向かい合わせ、ガイド溝３６に凸部５６を嵌合させる。すると、チャンバー側コネクタ５のダクト側コネクタ３に対する周方向の位置が定まる。この位置合わせが行われた状態で、チャンバー側コネクタ５をダクト側コネクタ３の中に挿入していくと、爪部５５に係合部３５が係合する。これにより、ダクト側テーパ部３２とチャンバー側テーパ部５２との間にシール部材６を介在させた状態で、チャンバー側コネクタ５がダクト側コネクタ３に嵌合される。係合部３５は爪部５５に係合しているため、ダクト側コネクタ３はチャンバー側コネクタ５から抜け出ない。
【００４９】
（実施例２）
本例の住宅用空調ダクトの接続構造は、図８に示すように、ダクト１が蛇腹管であり、ダクト側コネクタ３０と一体に形成されている点が、実施例１のそれと相違する。
【００５０】
ダクト１は、内層１１と、断熱材１３と、外層１４とを積層したものである。内層１１は、谷部と山部とを繰り返す蛇腹形状をもつ。ダクト１は、蛇腹形状の内層１１によって、平滑管よりも自在に屈曲させることができる。内層１１は、ポリプロピレン、ポリエチレンなどの樹脂材料からなる。断熱材１３はウレタン樹脂であり、外層１４は、アルミニウムとガラスファイバーとからなるフィルムである。
【００５１】
内層１１は、断熱材１３及び外層１４よりも先端に突出していて、その突出部分にはダクト側コネクタ３０が一体に形成されている。ダクト側コネクタ３０は、軸方向基端から先端に向かって順に、基端側円筒部３７と、段部３９と、円筒部３１と、拡径部３４と、ダクト側テーパ部３２と、係合部３５と、ガイド溝３６とを有し、これらの部位のうち、円筒部３１と、拡径部３４と、ダクト側テーパ部３２と、係合部３５と、ガイド溝３６とは実施例１のダクト側コネクタ３のそれらと同様の構成である。チャンバー２及びチャンバー側コネクタ５の構成は、実施例１のそれらと同様である。ダクト側コネクタ３とチャンバー側コネクタ５とは、実施例１と同様の構成で嵌合している。
【００５２】
ダクト側コネクタ３の基端側円筒部３７は、円筒部３１よりも径方向内側に位置しており、段部３９では基端側円筒部３７から円筒部３１に向かって径方向外側に段状に拡径している。円筒部３１の外周面には、ダクト１の外層１４がテープ１６で止められている。
チャンバー側テーパ部５２とダクト側テーパ部３２とは、ダクト側テーパ部３２の幅分で互いに軸方向で重なり合っている。チャンバー側コネクタ２の円筒部５１、縮径部５４と、ダクト側コネクタ３の円筒部３１、拡径部３４とは互いに軸方向で重なっている。そして、ダクト側コネクタ３の基端側円筒部３７は、チャンバー側コネクタ５と重なっておらず、ダクト１の内部空間と対面している。基端側円筒部３７の内周面は、チャンバー側コネクタ５の円筒部５１の内周面とともにダクト１の内部空間と対面しており、基端側円筒部３７の内周面は、円筒部５１の内周面と同一面を構成している。このため、ダクト１内の空調空気は、ダクト側コネクタ３とチャンバー側コネクタ５との嵌合部分で段差がなく、スムーズに流通することができる。
【００５３】
＜実験＞
本実験では、空調ダクトの接続構造のシール性能及び風流れ性能を評価した。これらの性能を評価するにあたって、実施例１のダクト側テーパ部及びチャンバー側テーパ部の傾斜角度αを０〜６０°の範囲で変えた。
【００５４】
シール性能の評価方法は、各ダクトからチャンバーに向けて、風量２００ｍ２／Ｈで空気を流した。ダクト側コネクタの外周面に風速センサを設置して、ダクトの外部に漏れ出てくる空調空気の風速を検知した。風速がない場合を○、風速が若干ある場合を△、風速が強い場合を×として評価した。
【００５５】
風流れ性能の評価方法は、煙を含む空気を、各ダクトからチャンバーに向けて、風量２００ｍ２／Ｈで流した。そのときの煙の挙動を観察した。煙がチャンバー全体に速やかに行き渡る場合を○、煙がチャンバー２の穴部２３の周囲に若干広がりつつ軸方向の向きに流れる場合を△、煙のほとんどがチャンバー２の穴部２３の軸方向の向きに流れる場合を×とした。チャンバー全体に速やかに広がるほど、空気のチャンバー内の圧力損失が少なくなる。
上記の評価結果を表１に示した。
【００５６】
【表１】
2011075135.tif 000003
【００５７】
同表より明らかなように、ダクト側テーパ部及びチャンバー側テーパ部の傾斜角度αが１０°以上の場合には、ダクト側コネクタから漏れ出る空気の風速がほとんどなく、シール性能がよかった。傾斜角度αが２０°以上の場合には、空気漏れは全くなく、シール性能が更に優れていた。傾斜角度αが１０°未満の場合にシール性能が悪かったのは、シール部材６が剥がれたり、浮き上がったりして、シール部材６と、ダクト側テーパ部３２及びチャンバー側テーパ部５２との間に隙間ができてしまう、あるいはシール部材６の圧縮が不十分であるためであると考えられる。
【００５８】
また、傾斜角度αが１０〜５０°の場合には、空気がチャンバーの穴部２３の周囲に広がった。傾斜角度αが２０〜４０°の場合には、空気がチャンバー全体に速やかに行き渡った。一方、６０°の場合には、空気のほとんどが穴部２３の軸方向の向きに流れた。傾斜角度αが１０°未満又は６０°以上の場合に風流れ性能が悪かったのは、チャンバー側コネクタ５の内面からチャンバー２の内面への急激な傾斜の変化、又は円筒部５１の内面からチャンバー側テーパ部５２の内面への急激な傾斜の変化に空調空気が追従できず、内面から離れてダクトの軸方向に流れたためであると考えられる。
【００５９】
以上より、ダクト側テーパ部３２及びチャンバー側テーパ部５２の軸方向に対する傾斜角度αが１０〜５０°の場合には、空調ダクトの接続構造のシール性能及び風流れ性能に優れることがわかる。
【符号の説明】
【００６０】
１：ダクト、２：チャンバー、３、３０：ダクト側コネクタ、５：チャンバー側コネクタ、６：シール部材、１１：内層、１２：形状保持材、１３：断熱材、１４：外層、１６：テープ、２１：本体部、２２：吹出し部、２３：穴部、３１：円筒部、３２：ダクト側テーパ部、３５：係合部、３６：ガイド溝、５１：円筒部、５２：チャンバー側テーパ部、５５：爪部、５６：凸部。
【図１】
2011075135.tif 000004
【図２】
2011075135.tif 000005
【図３】
2011075135.tif 000006
【図４】
2011075135.tif 000007
【図５】
2011075135.tif 000008
【図６】
2011075135.tif 000009
【図７】
2011075135.tif 000010
【図８】
2011075135.tif 000011